(57)【要約】      （修正有）【課題】構造がシンプルで加工しやすく、かつ巻き付け時の取り扱いが容易であり、さらに、分岐部を保護する際に、分岐部に十分な強度と柔軟性を付与することができる分岐保護シートを提供する。【解決手段】第１辺〜第４辺を有する四角形のシート状の基材２およびその片面に接着層３を有する基材シート４である電線束またはワイヤーハーネス用の分岐保護シート１は、以下から選択される３つ以上のスリットを有し、第１辺１１に対して３０〜１５０°の角度で、かつ、第４辺に沿って、少なくとも１つのスリットａ、第２辺１２に対して３０〜１５０°の角度で、かつ、第１辺に沿って、少なくとも１つのスリットｂ、第３辺１３に対して３０〜１５０°の角度で、かつ、第２辺に沿って、少なくとも１つのスリットｄ、第４辺１４に対して３０〜１５０°の角度で、かつ、第３辺に沿って、少なくとも１つのスリットｃ、さらに、いずれのスリットも到達しない中央部を有する。【選択図】図２
0003220854.tif 000002
【実用新案登録請求の範囲】
【請求項１】
第１辺〜第４辺を有する四角形のシート状の基材２およびその片面に接着層３を有する基材シート４である電線束またはワイヤーハーネス用の分岐保護シート１であって、当該分岐保護シート１は以下から選択される３つ以上のスリットを有し、
第１辺１１に対して３０〜１５０°の角度で、かつ、第４辺に沿って、少なくとも１つのスリットａ、
第２辺１２に対して３０〜１５０°の角度で、かつ、第１辺に沿って、少なくとも１つのスリットｂ、
第３辺１３に対して３０〜１５０°の角度で、かつ、第２辺に沿って、少なくとも１つのスリットｄ、
第４辺１４に対して３０〜１５０°の角度で、かつ、第３辺に沿って、少なくとも１つのスリットｃ、さらに、いずれのスリットも到達しない中央部１０を有することを特徴とする、前記分岐保護シート。
【請求項２】
分岐保護シート１がスリットａ、ｂ、ｃ、ｄを有し、前記各スリットａ〜ｄが対応する各辺に対して６５〜１１５°の角度で形成される、前記分岐保護シート。
【請求項３】
分岐保護シートの接着層３を有する面上かつ内側にさらなる保護層５を有することを特徴とする、請求項１または２に記載の分岐保護シート。
【請求項４】
前記保護層５が前記中央部１０にあり、前記保護層５が保護層用基材６および保護層用接着層７の二層からなり、前記接着層３と保護層用接着層７を粘着させ結合させることで保護層５が形成されることを特徴とする、請求項３に記載の分岐保護シート。
【請求項５】
前記基材２および／または前記保護層用基材７が、ポリエステル織物、ポリアミド織物、ビスコース織物および／または前記素材の混合織物であり、並びに／または前記接着層および／または前記保護層用接着層が、天然ゴム、合成ゴム、ポリアクリレートまたはシリコーンに基づく自己接着性化合物の接着コーティングであることを特徴とする、請求項３または４に記載の分岐保護シート。
【請求項６】
前記基材２および／または前記保護層用基材７が、ポリエチレンテレフタレート織物からなり、前記接着層および／または前記保護層用接着層が、ポリアクリレート系接着剤からなり、前記基材シート４および保護層５が、ＬＶ３１２の規定に基づく直径１０ｍｍのマンドレルによる測定で少なくとも摩耗等級Ｄを、および／またはＬＶ３１２の規定に基づく直径５ｍｍのマンドレルによる測定で少なくとも摩耗等級Ｃを満たすことを特徴とする、請求項３〜５のいずれか一つに記載の分岐保護シート。
【請求項７】
長方形または正方形である、請求項１〜６のいずれか一つに記載の分岐保護シート。
【請求項８】
各スリットａ〜ｄが対応する各辺に対して９０°の角度で形成され、および／または、
ワイヤーハーネス用の分岐保護シートの平面形状が９０°または１８０°の回転対称となるように、各スリットを有することを特徴とする、請求項７に記載の分岐保護シート。
【請求項９】
Ｔ字の分岐を有する電線束および当該分岐部を保護する分岐保護シートを含む電線束分岐部９であって、
分岐保護シートとして請求項２〜８のいずれか一つに記載の分岐保護シート１を使用し、
分岐保護シート１の中央部１０または保護層５により分岐部を保護し、さらに、スリットａにより形成された部分Ａ、スリットｂにより形成された部分Ｂ、スリットｃにより形成された部分Ｃ、スリットｄにより形成された部分Ｄが折りたたまれ、電線束に巻き付けられ、各々の部分Ａ〜Ｄの接着層が電線束に粘着することで、分岐保護シートと電線束が固定されていることを特徴とする、前記電線束分岐部。
【請求項１０】
部分ＡおよびＤが本線となる電線束８２に巻き付けられ粘着固定され、部分ＢおよびＣが分岐された電線束８１に巻き付けられ粘着固定されているか、または
部分ＢおよびＣが本線となる電線束８２に巻き付けられ粘着固定され、部分ＡおよびＤが分岐された電線束８１に巻き付けられ粘着固定されていることを特徴とする、請求項９に記載の電線束分岐部。
【考案の詳細な説明】
【技術分野】
【０００１】
本考案は、自動車用のワイヤーハーネスなどの電線束上に存在する分岐部を保護する分岐保護シートおよびその分岐保護シートを使用する分岐部複合体、並びに、その分岐保護シートを使用した分岐部を保護する方法に関する。
【背景技術】
【０００２】
自動車等に使用されるワイヤーハーネスなどの電線束は絶縁テープなどで結束した上で保護する必要がある。さらに、電線束は所定の位置で電測束の一部が分岐することがある。このような分岐部分に関連する結束作業は、基本的に手作業であり非常に手間がかかるだけでなく、作業者によってはその作業にバラつきが生じる場合が多い。
【０００３】
そこで従来から、これらの分岐部を含む電線束を保護する保護シートが開発されてきた。例えば、特許文献１（特開２０１１−１９９９９２）においては幾つかのスリットと接着面を有する保護シートが開示されている。さらに、特許文献２（特開２０１１−２０５７９０）においては、中央部を残して対角線上にスリットが形成された保護シートが開示されている。また、特許文献３（特開２０１２−３９７８２）においては、熱可塑性材料によって電線束の分岐部分を保護する保護構造部が開示されている。
【０００４】
しかしながら、これらの保護シートは、構造が複雑で保護シートの加工に手間がかかる上に、その構造が複雑であるために巻き付けの手順が簡便でなく、また場合によっては巻き付けた後に、さらに加熱する必要がある場合や、場合によってはさらなる接着テープでさらに結束する必要があり、その取り扱いが困難であった。さらに、自動車等に使用されるワイヤーハーネスに使用する場合、分岐部の強度と柔軟性が足らず、しばしば自動車の走行時の異音の原因となることもあった。
【先行技術文献】
【特許文献】
【０００５】
【特許文献１】特開２０１１−１９９９９２
【特許文献２】特開２０１１−２０５７９０
【特許文献３】特開２０１２−３９７８２
【考案の開示】
【考案が解決しようとする課題】
【０００６】
本考案は、当該問題点に鑑み、構造がシンプルで加工しやすく、かつ巻き付け時の取り扱いが容易であり、さらに、分岐部を保護する際に、分岐部に十分な強度と柔軟性を付与することができる分岐保護シートを提供することが目的である。
【課題を解決するための手段】
【０００７】
本考案は、第１辺〜第４辺を有する四角形のシート状の基材２およびその片面に接着層３を有する基材シート４である電線束またはワイヤーハーネス用の分岐保護シート１に関し、当該分岐保護シート１は以下から選択される３つ以上のスリットを有し、
第１辺１１に対して３０〜１５０°の角度で、かつ、第４辺に沿って、少なくとも１つのスリットａを、
第２辺１２に対して３０〜１５０°の角度で、かつ、第１辺に沿って、少なくとも１つのスリットｂ、
第３辺１３に対して３０〜１５０°の角度で、かつ、第２辺に沿って、少なくとも１つのスリットｄ、
第４辺１４に対して３０〜１５０°の角度で、かつ、第３辺に沿って、少なくとも１つのスリットｃ、いずれのスリットも到達しない中央部１０を有することを特徴とする前記分岐保護シートである。さらに、本考案は、第１辺〜第４辺を有する四角形のシート状の基材２およびその片面に接着層３を有する基材シート４である電線束またはワイヤーハーネス用の以下の少なくとも４つのスリットを有する分岐保護シート１に関し、
第１辺に対して６５〜１１５°の角度で、かつ、第４辺に沿って、少なくとも１つのスリットａ、
第２辺に対して６５〜１１５°の角度で、かつ、第１辺に沿って、少なくとも１つのスリットｂ、
第３辺に対して６５〜１１５°の角度で、かつ、第２辺に沿って、少なくとも１つのスリットｄ、
第４辺に対して６５〜１１５°の角度で、かつ、第３辺に沿って、少なくとも１つのスリットｃ、いずれのスリットも到達しない中央部１０を有することを特徴とする。さらに、分岐保護シートにおいて、分岐保護シートの接着層を有する面上かつ内側にさらなる保護層５を有することが好ましく、
前記保護層５が前記中央部１０にあり、前記保護層が保護層用基材６および保護層用接着層７の二層からなり、前記接着層３と保護層用接着層７が貼り合わされて保護層５が形成されることが好ましい。
【考案の効果】
【０００８】
本考案であれば、少なくとも４つの簡便なスリットを有するのみであり、構造がシンプルで加工しやすく、かつ巻き付け時の取り扱いが容易であり、さらに、スリットにより形成された部分により分岐部を固定保護することにより、分岐部に十分な強度と柔軟性を付与することができる分岐保護シートを提供することができる。さらに、分岐保護シートの接着層を有する面上に保護層を有することにより、接着層が分岐部に直接粘着することがなく、これにより分岐部の自由度および柔軟性を担保することができる分岐保護シートを提供することができる。
【図面の簡単な説明】
【０００９】
【図１】図１は、分岐保護シート１の上面図および断面図の模式図である。
【図２】図２は、保護層を有する岐保護シート１の上面図および断面図の模式図である。
【図３】図３は、分岐保護シート１の一実施形態例を示す。
【図４】図４は、分岐保護シート１と電線束分岐部の一実施形態例を示す。
【図５】図５は、分岐保護シート１をＴ字に分岐する電線束８を保護するために使用する方法の一例を示す。
【図６】図６は、分岐保護シート１の２つの実施形態例を示す。
【考案を実施するための形態】
【００１０】
本考案は、第１辺〜第４辺を有する四角形のシート状の基材２およびその片面に接着層３を有する基材シート４である電線束またはワイヤーハーネス用の分岐保護シート１に関し、分岐保護シート１は少なくとも３つ以上のスリットを有し、好ましくは以下の少なくとも４つのスリットを有し、
第１辺に対して６５〜１１５°の角度で、かつ、第４辺に沿って、少なくとも１つのスリットａ、
第２辺に対して６５〜１１５°の角度で、かつ、第１辺に沿って、少なくとも１つのスリットｂ、
第３辺に対して６５〜１１５°の角度で、かつ、第２辺に沿って、少なくとも１つのスリットｄ、
第４辺に対して６５〜１１５°の角度で、かつ、第３辺に沿って、少なくとも１つのスリットｃ、いずれのスリットも到達しない中央部１０を有することを特徴とし、例えば、図１に示すようなシート状の形態を有する。すなわち、本考案は、図１に示すように、第１辺１１、第２辺１２、第３辺１３、第４辺１４を有する四角形のシート状の基材２およびその片面に接着層３を有するワイヤーハーネス用の分岐保護シート１であり、図１に点線で示される中央部１０を残して、少なくとも４つのスリットａ、ｂ、ｃ、ｄを有する。シート状の基材２および基材シート４は四角形であれば良いが、保護する分岐部の形態に合わせてどのような形であっても良いが、分岐部の形態に対する巻きやすさ、取扱いのしやすさ、製品自体の加工性、加工に要するコストを考慮すると、長方形、または正方形であることが好ましい。シート状の基材２および基材シート４は四角形の一辺の長さは保護する分岐部の大きさに応じて決定すれば良いが、通常は６０〜２００ｍｍ程度であり、例えば、１００〜１５０ｍｍ程度である。
【００１１】
前記基材２は、特に耐摩耗性を有する織物であればよく、例えば、ポリエステル織物、ポリアミド織物、ビスコース織物および／または前記素材の混合織物であることが好ましい。さらには、ポリエステル織物、特にポリエチレンテレフタレート織物（ＰＥＴ織物）であることが好ましい。摩擦および機械的損傷に対して、分岐部を良好に保護することができるからである。基材の厚さとしては、ＤＩＮ  ＥＮ  １９４４の規定に基づく測定で最大で２００μｍ、好ましくは１３０〜１９０μｍ、特に好ましくは１５０〜１９０μｍであるとよい。
【００１２】
四角形のシート状の基材２はその片面に接着層３を有する。接着層３は粘着性を有するものにより構成され、例えば、粘弾性接着剤であり、自己接着剤、両面接着テープ、または自己接着性の接着コーティングからなればよい。これらに使用する接着剤としては、天然ゴム、合成ゴム、ポリアクリレートまたはシリコーンに基づく自己接着性化合物が好ましく、接着層３はこれらの化合物の接着コーティングであればよい。また、後に記載する保護層用基材６および保護層用接着層７についても同様の構成であればよい。
【００１３】
本考案で使用される基材シート４および保護層６としては耐摩耗性を有し機械的損傷に対して強い素材であればよいが、最も好ましい形態の一つとしては、基材シート４および保護層６が、前記基材がポリエチレンテレフタレート織物であり、前記接着層がポリアクリレート系接着剤からなる織物基材接着シートからなり、当該織物基材接着シートの耐摩耗性が、ＬＶ３１２の規定に基づく直径１０ｍｍのマンドレルによる測定で少なくとも摩耗等級Ｄを、および／またはＬＶ３１２の規定に基づく直径５ｍｍのマンドレルによる測定で少なくとも摩耗等級Ｃを満たすことである。このような基材シートであれば耐摩耗性および機械的損傷に対して非常に強い分岐保護シートシートが得られるからである。
【００１４】
各々のスリットは、各辺に沿って少なくとも一つのスリットを有し、４つのスリットａ、ｂ、ｃ、ｄを有することが望ましい。当該スリットにより、各々、四角形の頂点を含む４つの部分Ａ、Ｂ、Ｃ、Ｄが形成される。本発明においては、第４辺に沿って、少なくとも１つのスリットａを有し、第１辺に沿って、少なくとも１つのスリットｂを有し、第２辺に沿って、少なくとも１つのスリットｄを有し、第３辺に沿って、少なくとも１つのスリットｃを有し、各々、第１辺に対して、３０〜１５０°、好ましくは６５〜１１５°の角度ａ’でスリットａが存在し、第２辺に対して、３０〜１５０°、好ましくは６５〜１１５°の角度ｂ’でスリットｂが存在し、第３辺に対して、３０〜１５０°、好ましくは６５〜１１５°の角度ｄ’でスリットｄが存在し、第４辺に対して、３０〜１５０°、好ましくは６５〜１１５°の角度ｃ’でスリットｃが存在する。
【００１５】
ここで、本発明における上記の各角度ａ’、ｂ’、ｃ’、ｄ’は、各辺１１、１２、１４、１３に対する角度であり、図１に示されように、スリットで形成される部分側の角度を示す。ここで、当該角度は、スリットにより形成される部分Ａ〜Ｄの形が分岐部の形態に合致していればよい。通常は、当該角度ａ’、ｂ’、ｃ’、ｄ’は、全ての角度が同じであることが好ましく、ある好ましい実施形態においては、ａ’、ｂ’、ｃ’、ｄ’は、７５〜１１５°であり、また８０〜１００°であり、８５〜９５°であり、例えば、典型的には、全て９０°であってよい。
【００１６】
スリットの各辺における位置はいずれであっても良いが、スリットにより形成される部分Ａ〜Ｄの形が分岐部の形態に一致しており十分な強度を有していればよい。例えば、スリットにより形成される部分Ａ、Ｂ、Ｃ、Ｄの各辺１１、１２、１４、１３における長さａ”、ｂ”、ｃ”、ｄ”（長さａ”のみ図１に図示、他は図示せず）は各辺の長さの１０〜３５％であることが好ましく、例えば、各辺の長さの１５〜２５％である。また、各長さａ”、ｂ”、ｃ”、ｄ”の４つが同一であることが好ましい。具体的にはａ”、ｂ”、ｃ”、ｄ”は１０〜４０ｍｍ程度、例えば、１５〜３５ｍｍであることが好ましい。分岐部の保護に十分な接着力と強度が得られるからである。またいずれのスリットも到達しない中央部は四角形になることが通常であり、その１辺の長さは、そのうちの少なくとも１辺か２辺がその後巻きつける電線束の円周、特に本線電線側８２の円周、と同一かその円周の９０％〜１１０％程度であることが好ましい。それにより効率的に電線束に巻きつけることができ、適切に保護できるからである。
【００１７】
本発明の好ましい実施形態においては、分岐保護シート１の接着面側かつその内側にさらに保護層１１を有することが好ましい。その際、接着面側の外縁に接着面が露出したまま最上層として残るように保護層１１を有することが好ましい。好ましくは保護層１１の各辺は分岐保護シート１の各辺より小さく、面積も小さい四角形である。本発明の最も好ましい実施形態においては、分岐保護シート１の接着面側の中央部１０にさらに保護層１１を有することが好ましい。分岐部に保護シートを巻きつけたときにおいて、当該保護層１１が存在することにより、接着層が分岐部に直接粘着することがなく、これにより分岐部の自由度および柔軟性を担保することができる。すなわち保護シートで分岐部を強固に保護しつつ、分岐部の自由度および柔軟性を保ち、それにより衝撃を柔軟に吸収することができるという利点を有する。当該保護層は中央部を全て覆うか、それよりも広い範囲であっても良いし、中央部よりも狭い範囲であってもよい。分岐部の形態に対する巻きやすさ、取扱いのしやすさ、製品自体の加工性、加工に要するコストを考慮すると、スリットと交わらないことが好ましい。
【００１８】
さらに保護層５としては、保護層用基材６のみ一層のシート、保護層用基材６および保護層用接着層７の二層構造を有するシートを使用することが好ましく、接着層３と貼りあわせて、分岐保護シート１とするとよく、好ましくは保護層用基材６および接着層の二層構造７を有するシートを接着層３と貼りあわせるとよい（図２参照）。これにより、分岐保護シート１を分岐部に巻きつけたときに、分岐部に接触する部分については保護層と分岐部が接触することになり、分岐保護シート１が接着層３を介して、直接的に分岐部８３に接着されることはない構成をとることができる。一方、分岐部８３以外の多くの部分または全部分については分岐保護シート１の接着層３と電線束が直接的に接触され接着されることになる。
【００１９】
保護層用基材６および保護層用接着層７の二層構造は、シート状の基材２およびその片面に接着層３と同様の材料から成ることが好ましい。本発明の最も好ましい実施形態の一つにおいては、基材および接着層を有する同一の織物基材接着シートを、基材シート４および前記保護層５に使用することである。例えば、上記にも示したとおり、当該織物基材接着シートの耐摩耗性が、ＬＶ３１２の規定に基づく直径１０ｍｍのマンドレルによる測定で少なくとも摩耗等級Ｄを、および／またはＬＶ３１２の規定に基づく直径５ｍｍのマンドレルによる測定で少なくとも摩耗等級Ｃを満たす織物基材接着シートを、基材シート４および前記保護層５として使用することが好ましい。耐摩耗性に優れ、機械的破損にも強いからである。
【００２０】
当該分岐保護シート１は、図３〜５に示すように、典型的には、Ｔ字に分岐するワイヤーハーネス８を保護するために使用される。当該ワイヤーハーネス８は、典型的には、分岐された電線束８１（分岐電線束とも示す）、本線となる電線束８２（本線電線束とも示す）、および露出した電線束の分岐部８３とから成る。分岐電線束８１および８２は、電線束が直接的に露出している場合もあるが、図３〜５では結束帯、チューブ、接着テープなどでカバーされてワイヤーハーネスとなっているものを示す。すなわち、本考案の分岐保護シート１を使用し、分岐保護シート１の中央部１０、好ましくは保護層５によりＴ字に分岐する電線束の分岐部８３を保護し、さらに、スリットａにより形成された部分Ａ、スリットｂにより形成された部分Ｂ、スリットｃにより形成された部分Ｃ、スリットｄにより形成された部分Ｄが折りたたまれ、電線束に巻き付けることにより、Ｔ字に分岐する電線束を固定し、保護する。
【００２１】
このようなＴ字に分岐する電線束８を保護するために使用されるに際し、当該分岐保護シート１は長方形または正方形であることが好ましく、また、分岐保護シートの平面形状が９０°または１８０°の回転対称となるように、各スリットを有することが好ましい。特にＴ字分岐は左右対称であることが通常であるため、例えば、１８０°の回転対称となるようにスリットが設置されていることが好ましい。これにより左右対称にＴ字分岐を保護することができるからである。
【００２２】
実際に当該分岐保護シート１をＴ字に分岐する電線束８を保護するために使用する場合、図３〜図５に示されるような手順で当該分岐保護シート１をＴ字に分岐する電線束８に巻きつける。これにより本考案に係る分岐保護シート１による保護された電線束分岐部９が形成される。すなわち、図４および図５に示すように、本発明の一実施形態においては、部分ＡおよびＤが本線となる電線束８２に巻き付けられ、部分ＢおよびＣが分岐された電線束８１に巻き付けられることになる。具体的には、最初に電線束が図３に示されるように分岐保護シート１の中央に置かれ、Ｔ字の分岐部する電線束８が分岐保護シート１に垂直になるように置かれる。接着層３により本線の電線束８２と分岐保護シート１が粘着され固定される。最初は、本線となる電線束８２と接着層３の一部のみが粘着固定されるが、図５ａ）に示すように、分岐保護シート１を半分に折りたたむようにすることで、本線の電線束８２が分岐保護シート１に包みこまれ粘着される。さらに分岐された電線束８１についても部分Ａと部分Ｂの間の接着層および部分Ｃと部分Ｄの間の接着層により、部分的に包み込まれて接着され固定される。
【００２３】
次に図５のｂ）に示さるように、部分Ｂをスリットｄにとおすことにより、部分Ｂと部分Ｄが交差する（図５のｃ）参照）。さらに、交差した部分Ｂは分岐された電線束を巻き込み包み込み、分岐された電線束８１部分が分岐保護シート１と粘着され固定される。一方、交差した部分Ｄは本線の電線束８２を巻き込み包み込み、分岐された電線束８１部分が分岐保護シート１と粘着され固定される（図５のｄ）参照）。同じく部分Ｃをスリットａにとおすことにより、部分Ｃと部分Ａが交差する。さらに、交差した部分Ｃは分岐された電線束を巻き込み包み込み、分岐された電線束８１部分が分岐保護シート１と粘着され固定される。一方、交差した部分Ａは本線の電線束８２を巻き込み包み込み、分岐された電線束８１部分が分岐保護シート１と粘着され固定される。ここで、部分Ａにより固定される本線の電線束は、部分Ｄにより固定される本線の電線束と反対の部分である。
【００２４】
上記においては、部分ＡおよびＤが本線となる電線束に巻き付けられ、部分ＢおよびＣが分岐された電線束に巻き付けられる形態について示したが、部分ＢおよびＣが本線となる電線束に巻き付けられ、部分ＡおよびＤが分岐された電線束に巻き付けられている形態についても同様である。いずれの形態においても、Ｔ字の電線束のうち本線となる電線束は、最初に分岐保護シート１の本体部分に巻き込まれ粘着固定され、さらに二つの部分（部分ＡおよびＤまたは部分ＢおよびＣ）により巻きつけられ粘着され固定される。一方、分岐された電線束は二つの部分（部分ＢおよびＣまたは部分ＡおよびＤ）に粘着され固定される。すなわち、いずれの本線となる電線束も分岐された電線束も多くの部分が二重に強固に保護される点において本考案は有利である。
【００２５】
また、分岐された電線束または本線の電線束が、分岐保護シート１の本体部分および部分Ａ〜Ｄの接着層により粘着され固定される一方で、分岐部分８３に関しては、中央部１０の接着層３により粘着固定されていてもよいが、保護層１１と保護層用基材６と接することにより分岐保護シート１と直接的に粘着固定されないことが好ましい。これにより、分岐保護シート１は本線および分岐された電線束８１、８２と強固に粘着され固定される一方で、分岐部８３そのものにおいては固定されることなく柔軟性、屈曲性を保持することができる。これにより自動車に適用された際などに生じる振動による雑音等を抑えることが可能となる。
【００２６】
保護層の大きさを適切に調整することで、適切に分岐保護シート１を巻きつけることができる。保護層の大きさとしては、その１辺の長さは、そのうちの少なくとも１辺か２辺がその後巻きつける電線束の円周と同一かその円周、特に本線電線側８１の円周の９０％〜１１０％程度であることが好ましい。それにより、少なくとも本線電線側８１はこれにより円周部分をほぼ全て保護でき、効率的に電線束に巻きつけることができるからである。一般に保護層の大きさは１辺の大きさが５０〜２００ｍｍであり、例えば、２００ｍｍ〜７０ｍｍ×１４０〜５０ｍｍであり、例えば、１１０ｍｍ×６０ｍｍ、または６０ｍｍ×６０ｍｍである。
【００２７】
本考案の好ましい実施形態の一つとしては、図６ａ）のようにスリットの各辺に対する角度を９０°とすればよいが、例えば、図６ｂ）に示すようにスリットの各辺に対する角度を９０°ではなく、それよりも大きくし、６５〜１１５°とすることができ、例えば、１００°にしてもよい。これによって本線となる電線束８２が直線でなく分岐部で屈曲している場合における分岐電線束に対応することができる。
【符号の説明】
【００２８】
１  分岐保護シート
２  基材
３  接着層
４  基材シート
５  保護層
６  保護層用基材
７  保護層用接着層
８  Ｔ字の分岐を有する電線束またはワイヤーハーネス
９  （分岐保護シートにより保護された）電線束分岐部
１０  中央部
１１  第１辺
１２  第２辺
１３  第３辺
１４  第４辺
８１  分岐された電線束（分岐電線束）
８２  本線となる電線束（本線電線束）
８３  電線束の分岐部
ａ  スリットａ
ｂ  スリットｂ
ｃ  スリットｃ
ｄ  スリットｄ
Ａ  スリットａにより形成された部分Ａ
Ｂ  スリットｂにより形成された部分Ｂ
Ｃ  スリットｃにより形成された部分Ｃ
Ｄ  スリットｄにより形成された部分Ｄ
ａ’  スリットａの辺１１に対する角度
ｂ’  スリットｂの辺１２に対する角度
ｃ’  スリットｃの辺１４に対する角度
ｄ’  スリットｄの辺１３に対する角度
ａ”  スリットにより形成されるＡの辺１１における長さ
【図１】
0003220854.tif 000003
【図２】
0003220854.tif 000004
【図３】
0003220854.tif 000005
【図４】
0003220854.tif 000006
【図５】
0003220854.tif 000007
【図６】
0003220854.tif 000008
【手続補正書】
【提出日】平成31年2月5日(2019.2.5)
【手続補正１】
【補正対象書類名】実用新案登録請求の範囲
【補正対象項目名】請求項２
【補正方法】変更
【補正の内容】
【請求項２】
分岐保護シート１がスリットａ、ｂ、ｃ、ｄを有し、
前記スリットａが第１辺１１に対して６５〜１１５°の角度で形成され、
前記スリットｂが第２辺１２に対して６５〜１１５°の角度で形成され、
前記スリットｄが第３辺１３に対して６５〜１１５°の角度で形成され、
前記スリットｃが第４辺１４に対して６５〜１１５°の角度で形成される、請求項１に記載の分岐保護シート。